(57)【要約】【課題】十分な効果が期待できる特殊効果を、ユーザが容易かつ確実に設定できる撮像装置を提供する。【解決手段】着脱可能なアクセサリ12の装着下で被写体を撮影して、該被写体像の画像データを生成する撮像装置において、画像データを処理して被写体像に特殊効果を付加する画像処理部33と、画像処理部33で実行可能な複数の特殊効果と各特殊効果に対するアクセサリ制限情報とを関連させた特殊効果情報を格納する記憶部24と、装着下のアクセサリ情報に基づいて、記憶部24から推奨の特殊効果を抽出する抽出部35と、抽出部35で抽出された特殊効果を表示する表示部18と、を備える。【選択図】図１
2011239346.tif 000002
【特許請求の範囲】
【請求項１】
着脱可能なアクセサリの装着下で被写体を撮影して、該被写体像の画像データを生成する撮像装置において、
前記画像データを処理して前記被写体像に特殊効果を付加する画像処理部と、
前記画像処理部で実行可能な複数の特殊効果と各特殊効果に対するアクセサリ制限情報とを関連させた特殊効果情報を格納する記憶部と、
前記装着下のアクセサリ情報に基づいて、前記記憶部から推奨の特殊効果を抽出する抽出部と、
該抽出部で抽出された特殊効果を表示する表示部と、
を備えることを特徴とする撮像装置。
【請求項２】
前記画像処理部は、シェーディング付加効果、ティルトレンズ撮影効果、魚眼レンズ効果、ダイナミックレンジ拡大効果の少なくとも２以上の特殊効果を選択的に実行可能であることを特徴とする請求項１に記載の撮像装置。
【請求項３】
通信インタフェースをさらに備え、
前記通信インタフェースを介して前記記憶部の更新情報を入力して前記特殊効果情報を更新する、ことを特徴とする請求項１または２に記載の撮像装置。
【請求項４】
前記アクセサリは撮影レンズを含み、
前記撮影レンズとして、標準レンズ、望遠レンズ、ズームレンズ、魚眼レンズ、ティルトレンズ、３６０度レンズ、ソフトフォーカスレンズ、撮像素子付レンズ、アナモフィックレンズのいずれか一つの装着下で前記被写体を撮影する、ことを特徴とする請求項１乃至３のいずれか一項に記載の撮像装置。
【発明の詳細な説明】
【技術分野】
【０００１】
本発明は、撮像装置に関するものである。
【背景技術】
【０００２】
従来のデジタルカメラとして、ユーザがマニュアル等を参考にしなくても、簡単に操作が行えるようにするため、マニュアルの内容をカメラのメモリに記憶し、要求があった場合に、つまりヘルプモードにおいて、分割撮影時や日時設定時等の現在の状態における操作説明をカメラの表示部へ表示するようにしたものが知られている（例えば、特許文献１参照）。また、他のデジタルカメラとして、撮影条件の設定状態をカメラの表示部へわかりやすく表示するために、簡単モードや応用モード等の撮影モードに応じて設定状態の表示態様を異ならせるようにしたものが知られている（例えば、特許文献２参照）。
【０００３】
一方、近年では、交換レンズ等のアクセサリが着脱可能な高機能のデジタルカメラが種々提案されている。また、画像処理技術の進歩および高速化に伴って、撮影画像の画像データに対して、例えばアートフィルタやマジックフィルタと称されている特殊なフィルタ処理（画像処理）を施すことにより、撮影者（ユーザ）の感性を反映させた特殊効果を確認しながら、所望の特殊効果を設定して撮影できるデジタルカメラも提案されている。
【０００４】
ここで、アートフィルタには、例えば、ポップアート、ファンタジックフォーカス、デイドリーム、ライトトーン、ラフモノクローム、トイフォト、ジオラマ、クロスプロセスと称されているもの等が知られている。ポップアートは、撮影画像をカラフルで鮮やかな元気な色の作風に仕上げるものである。ファンタジックフォーカスは、撮影画像をソフトフォーカス特有の幻想的な作風に仕上げるものである。デイドリームは、撮影画像を青く柔らかな光に満ちた旅行の作風に仕上げるものである。ライトトーンは、撮影画像を暗部もハイライト部も柔らかく描写して、上質で落ち着いた作風に仕上げるものである。ラフモノクロームは、撮影画像をモノクロ写真ならではの印象的な粗粒子写真の作風に仕上げるものである。トイフォトは、撮影画像をトイカメラで撮影したような周辺が減光された作風に仕上げるものである。ジオラマは、撮影画像を周辺のピントをぼかしておもちゃの世界のような作風に仕上げるものである。クロスプロセスは、撮影画像を予想外の発色と色の転びの非現実的な作風に仕上げるものである。
【０００５】
また、マジックフィルタには、例えば、ポップ、ピンホール、スケッチ、フィッシュアイと称されているもの等が知られている。ポップは、アートフィルタにおけるポップアートと同様に、撮影画像をカラフルで鮮やかな色の作風に仕上げるものである。ピンホールは、アートフィルタにおけるトイフォトと同様に、撮影画像をトイカメラで撮影したような周辺が減光された作風に仕上げるものである。スケッチは、撮影画像を輪郭が線画で描写された作風に仕上げるものである。フィッシュアイは、撮影画像を魚眼レンズで撮影したような作風に仕上げるものである。
【０００６】
また、他の特殊効果として、例えば、画像データのダイナミックレンジを拡大するダイナミックレンジ拡大効果や、露光中にフォーカスを移動させて撮影する露光中フォーカス移動効果も知られている。
【先行技術文献】
【特許文献】
【０００７】
【特許文献１】特開２００４−１２８８２０号公報
【特許文献２】特開２００８−１１８５３０号公報
【発明の概要】
【発明が解決しようとする課題】
【０００８】
ところで、フィルタ処理による特殊効果は、一般に「きれいな写真」と呼ばれるような写真が撮れる撮影レンズを用いた撮影によって得られた画像データに対し、所望のフィルタ処理を施すことにより、異なる印象の独特な写真を実現するものである。このため、例えば、魚眼レンズを用いた撮影によって得られた画像データに対し、フィッシュアイのような魚眼レンズ効果の特殊効果を設定しても、十分な特殊効果は期待できない。また、シェーディングの大きな撮影レンズを用いた撮影によって得られた画像データに対し、トイフォトやピンホールのようなシェーディング付加効果の特殊効果を設定しても、効果的な写真は期待できない。同様に、ティルトレンズを用いた撮影によって得られた画像データに対し、ジオラマのような周辺がぼけたティルトレンズ撮影効果の特殊効果を設定しても、効果的な写真は期待できない。
【０００９】
また、ダイナミックレンジ拡大効果を得ようとする場合は、アクセサリとして、三脚の使用が必要となり、露光中フォーカス移動効果を得ようとする場合は、アクセサリとして、自動焦点（ＡＦ）対応の撮影レンズが装着され、かつ三脚の使用が必要となる。
【００１０】
このように、写真撮影における特殊効果は、撮影レンズ、ストロボ装置、三脚等のアクセサリとの好適な組み合わせにおいて顕著に現れ、これにより独特の作風の写真を得ることが可能となる。
【００１１】
しかしながら、特許文献１に開示の技術は、ヘルプモードにおいて、単に、分割撮影時や日時設定時等の現在の状態における操作説明を表示するに過ぎない。このため、特許文献１に開示の技術を適用した場合、例えば特殊効果の設定モードにおいて、当該デジタルカメラにおいて実行可能な全ての種類の特殊効果一覧を表示し、その特殊効果一覧の画面から、タッチパネルやジョグキー等の操作部を介してユーザによりいずれか一つの特殊効果を選択可能として、特殊効果を設定することが想定される。しかし、このようにすると、デジタルカメラに現在装着されているアクセサリによっては、推奨されない特殊効果が設定されて、所望の風合いの画像が得られない場合が想定される。
【００１２】
また、特許文献２に開示の技術は、簡単モードや応用モード等の撮影モードに応じて設定状態を異なる態様で表示するに過ぎない。このため、特許文献２に開示の技術を適用した場合、現在装着されている撮影レンズ等のアクセサリを設定状態として表示し、特殊効果等についてはユーザにより設定させることが想定される。しかし、この場合、ユーザによっては、推奨の特殊効果等を知らないために、推奨されない特殊効果が設定されて、所望の風合いの画像が得られない場合が想定される。
【００１３】
したがって、かかる点に鑑みてなされた本発明の目的は、十分な効果が期待できる特殊効果を、ユーザが容易かつ確実に設定できるようにした撮像装置を提供することにある。
【課題を解決するための手段】
【００１４】
上記目的を達成するため、本発明に係る撮像装置は、着脱可能なアクセサリの装着下で被写体を撮影して、該被写体像の画像データを生成する撮像装置において、
前記画像データを処理して前記被写体像に特殊効果を付加する画像処理部と、
前記画像処理部で実行可能な複数の特殊効果と各特殊効果に対するアクセサリ制限情報とを関連させた特殊効果情報を格納する記憶部と、
前記装着下のアクセサリ情報に基づいて、前記記憶部から推奨の特殊効果を抽出する抽出部と、
該抽出部で抽出された特殊効果を表示する表示部と、
を備えることを特徴とするものである。
【００１５】
本発明の一実施の形態においては、前記画像処理部は、シェーディング付加効果、ティルトレンズ撮影効果、魚眼レンズ効果、ダイナミックレンジ拡大効果の少なくとも２以上の特殊効果を選択的に実行可能であることを特徴とするものである。
【００１６】
本発明の一実施の形態においては、通信インタフェースをさらに備え、
前記通信インタフェースを介して前記記憶部の更新情報を入力して前記特殊効果情報を更新する、ことを特徴とするものである。
【００１７】
本発明の一実施の形態においては、前記アクセサリは撮影レンズを含み、
前記撮影レンズとして、標準レンズ、望遠レンズ、ズームレンズ、魚眼レンズ、ティルトレンズ、３６０度レンズ、ソフトフォーカスレンズ、撮像素子付レンズ、アナモフィックレンズのいずれか一つの装着下で前記被写体を撮影する、ことを特徴とするものである。
【発明の効果】
【００１８】
本発明によると、装着下のアクセサリ情報に基づいて、推奨の特殊効果が表示されるので、十分な効果が期待できる特殊効果を、ユーザが容易かつ確実に設定することが可能となる。
【図面の簡単な説明】
【００１９】
【図１】第１実施の形態に係る撮像装置の外観の概略構成を説明するための図である。
【図２】図１の撮像装置の内部の概略構成を示す機能ブロック図である。
【図３】特殊効果情報の一例を示す図である。
【図４】第１実施の形態に係る撮像装置の全体の概略動作を示すフローチャートである。
【図５】図４のアクセサリ検出処理の一例を示すフローチャートである。
【図６】図４の特殊効果設定処理の一例を示すフローチャートである。
【図７】第１実施の形態によるシェーディングレンズが装着された場合の特殊効果一覧の表示例を示す図である。
【図８】第１実施の形態による魚眼レンズが装着された場合の特殊効果一覧の表示例を示す図である。
【図９】第１実施の形態によるティルトレンズが装着された場合の特殊効果一覧の表示例を示す図である。
【図１０】第１実施の形態によるマニュアルフォーカスレンズまたはＡＦ対応レンズが装着された場合の特殊効果一覧の表示例を示す図である。
【図１１】図４の静止画像撮影処理の一例を示すフローチャートである。
【図１２】第２実施の形態に係る撮像装置の内部の概略構成を示す機能ブロック図である。
【図１３】本発明による特殊効果一覧の表示態様の変形例を示す図である。
【発明を実施するための形態】
【００２０】
以下、本発明の実施の形態について、図を参照して説明する。
【００２１】
（第１実施の形態）
図１（ａ）および（ｂ）は、本発明の第１実施の形態に係る撮像装置の外観の概略構成を説明するための図である。この撮像装置１０は、いわゆる一眼のデジタルカメラであり、図１（ａ）に示すように、カメラボディ１１の前面に、撮影レンズ１２が交換可能に装着される。撮影レンズ１２は、例えば、標準レンズ、望遠レンズ、ズームレンズ、魚眼レンズ、ティルトレンズ、３６０度レンズ、ソフトフォーカスレンズ、撮像素子付レンズ、アナモフィックレンズ等の各種の撮影レンズからいずれか一つが装着される。これらの撮影レンズ１２には、その被写体側鏡筒端部に、各種の光学フィルタ１３が着脱可能となっている。
【００２２】
また、カメラボディ１１の天面には、コネクタ部（ホットシュー）１４、レリーズボタン１５ａおよび電源スイッチ１５ｂが設けられている。コネクタ部１４には、電子ビューファインダ（ＥＶＦ;Electronic View Finder）１６やストロボ装置１７が着脱可能に装着される。
【００２３】
さらに、図１（ｂ）に示すように、カメラボディ１１の背面には、ライブビュー画像、撮影画像、メニュー画面等を表示する表示部１８、ズーム操作スイッチ１９ａ、ヘルプボタン１９ｂ、表示部１８に表示されたメニュー画面に応じて撮影モードや再生モード、特殊効果設定等の各種の入力操作を行うタッチパネルからなる操作部２０等が設けられている。表示部１８は、ＬＣＤ（Liquid Crystal Display）パネルや有機ＥＬ（electro-luminescence）パネル等で構成される。なお、図１（ｂ）は、操作部２０が表示部１８上に配置されたタッチパネルで構成された場合を例示しているが、操作部２０はタッチパネルに限らず、十字キーやジョグキー等で構成して表示部１８と分離して設けられる場合もある。また、図示しないが、カメラボディ１１は、その底面において、三脚の雲台に着脱可能となっている。
【００２４】
図２は、図１に示した撮像装置の内部の概略構成を示す機能ブロック図である。カメラボディ１１は、全体の動作を制御するシステムコントローラ２１を備える。このシステムコントローラ２１には、撮像部２２、カードメモリ部２３、記憶部２４、三脚検出部２５、レンズコネクタ部２６が接続されている。また、上述したコネクタ部１４、レリーズボタン１５ａ、電源スイッチ１５ｂ、ズーム操作スイッチ１９ａ、ヘルプボタン１９ｂおよび操作部２０が接続されているとともに、表示駆動部２７を介して表示部１８が接続されている。
【００２５】
システムコントローラ２１は、撮像部２２からの出力に基づいて自動露出（ＡＥ）制御およびＡＦ制御を行うＡＥ制御部３１およびＡＦ制御部３２と、被写体像の画像データを生成する画像処理部３３との機能を有する。画像処理部３３は、被写体像の画像データに対して特殊効果に応じた所要のフィルタ処理を実行するフィルタ処理部３４の機能を有する。フィルタ処理部３４は、複数の特殊効果が実行可能であり、その中からユーザによって指定された特殊効果を実行する。さらに、システムコントローラ２１は、装着下のアクセサリ情報に基づいて、記憶部２４から推奨の特殊効果を抽出する抽出部３５の機能を有する。
【００２６】
撮像部２２は、ＣＣＤ（Charge Coupled Devices）やＣＭＯＳ（Complementary Metal Oxide Semiconductor）等の撮像素子、アナログ−デジタル変換回路等を有し、システムコントローラ２１の制御のもとに、撮影レンズ１２を介して撮影される被写体像を光電変換して、デジタル信号としてシステムコントローラ２１に供給する。そして、システムコントローラ２１は、処理した画像データをカードメモリ部２３に供給するとともに、表示駆動部２７を介して表示部１８に供給して表示する。
【００２７】
コネクタ部１４は、該コネクタ部１４に装着されたアクセサリの情報、すなわち電子ビューファインダ１６やストロボ装置１７の情報を取得するもので、その取得情報はシステムコントローラ２１に供給される。
【００２８】
カードメモリ部２３は、カード状の記録媒体を着脱自在に装着するもので、システムコントローラ２１の制御のもとに、撮影モードにおいては、レリーズボタン１５ａの操作により撮影された静止画像を画像ファイルとして記録媒体に記録する。また、再生モードにおいては、記録媒体に画像ファイルとして記録されている静止画像を、表示駆動部２７を介して表示部１８に表示する。
【００２９】
記憶部２４は、ＲＯＭおよびＲＡＭを有し、撮影プログラムを含む撮影動作に必要な各種のデータがＲＯＭに格納され、画像処理中の画像データがＲＡＭに一時的に格納される。また、例えば、カードメモリ部２３に記録媒体が装着されていない場合、撮影された画像の画像ファイルが格納される。本実施の形態において、記憶部２４は、さらに、アクセサリ情報格納領域２４ａおよび特殊効果情報格納領域２４ｂを有する。
【００３０】
アクセサリ情報格納領域２４ａには、装着下のアクセサリの情報、すなわち撮影レンズ１２、光学フィルタ１３、電子ビューファインダ１６、ストロボ装置１７、三脚３７等のアクセサリ情報が格納される。また、特殊効果情報格納領域２４ｂには、実行可能な複数の特殊効果と、各特殊効果が顕著に現れるアクセサリ制限情報とを関連させた特殊効果情報が格納される。
【００３１】
ここで、特殊効果は、上述したように種々のものが知られているが、本実施の形態においては、説明を簡略化するため、シェーディング付加効果、魚眼レンズ効果、ティルトレンズ撮影効果、露光中フォーカス移動効果、ダイナミックレンジ拡大効果を実行可能とする。そして、図３に示すような、各特殊効果と、当該特殊効果が顕著に現れるアクセサリ制限情報とを関連させた特殊効果情報を、特殊効果情報格納領域２４ｂに格納するものとする。
【００３２】
図２において、三脚検出部２５は、撮像装置１０のカメラボディ１１が三脚３７に固定されたか否かを検出するもので、公知の三脚検出スイッチ等で構成される。この、三脚検出部２５の検出情報は、システムコントローラ２１に供給される。
【００３３】
また、レンズコネクタ部２６は、カメラボディ１１に装着された撮影レンズ１２の種別や該撮影レンズ１２に装着されている光学フィルタ１３の種別、撮影レンズ１２の状態等を示す情報を取得するもので、その取得情報はシステムコントローラ２１に供給される。
【００３４】
撮影レンズ１２は、レンズ光学系４１、レンズ情報メモリ４２、レンズ駆動モータ４３、レンズコントローラ４４、ピント操作部４５、ズーム操作部４６、ボディコネクタ部４７、および、フィルタコネクタ部４８を有する。なお、ズーム操作部４６は、当然のことながらレンズ光学系４１がズーム機能を有する場合にのみ設けられる。レンズ情報メモリ４２には、当該撮影レンズ１２の識別情報や光学特性等のレンズ情報が格納されている。このレンズ情報は、レンズコントローラ４４およびボディコネクタ部４７を経て、カメラボディ１１のレンズコネクタ部２６からシステムコントローラ２１に供給される。
【００３５】
撮影レンズ１２は、ＡＦ機能を有する場合、システムコントローラ２１からのＡＦ制御信号が、レンズコネクタ部２６およびボディコネクタ部４７を経てレンズコントローラ４４に供給される。これより、レンズ駆動モータ４３が駆動されて、レンズ光学系４１のＡＦ動作が行われる。一方、ＡＦ機能を有しない場合や手動フォーカスモードが設定されている場合は、ピント操作部４５の操作に基づいて、レンズコントローラ４４によりレンズ駆動モータ４３が駆動されて、レンズ光学系４１のＡＦ動作が行われる。また、駆動モータ４３を駆動することなく、ユーザが手動でピント操作するようにしてもよい。
【００３６】
また、ズーム機能を有する場合において、カメラボディ１１側のズーム操作スイッチ１９ａが操作された場合は、そのズーム操作に基づいて、システムコントローラ２１からレンズコネクタ部２６およびボディコネクタ部４７を経てレンズコントローラ４４にズーム制御信号が供給される。これにより、レンズ駆動モータ４３が駆動されてレンズ光学系４１のズーム動作が行われる。一方、撮影レンズ１２側のズーム操作部４６が操作された場合は、そのズーム操作に応じてレンズコントローラ４４によりレンズ駆動モータ４３が駆動されて、レンズ光学系４１のズーム動作が行われる。
【００３７】
光学フィルタ１３は、フィルタ光学系５１、フィルタ情報メモリ５２、および、レンズコネクタ部５３を有する。フィルタ情報メモリ５２には、当該光学フィルタ１３の識別情報や光学特性等の光学フィルタ情報が格納されている。この光学フィルタ情報は、レンズコネクタ部５３から、当該光学フィルタ１３が装着されている撮影レンズ１２のフィルタコネクタ部４７、レンズコントローラ４３およびボディコネクタ部４６を経て、カメラボディ１１のレンズコネクタ部２６からシステムコントローラ２１に供給される。
【００３８】
電子ビューファインダ１６は、ボディコネクタ部５５、ＥＶＦコントローラ５６、表示駆動部５７、ＥＶＦ表示部５８、および、接眼レンズ光学系５９を有する。ＥＶＦ表示部５８は、カメラボディ１１の表示部１８と同様に、ＬＣＤパネルや有機ＥＬパネル等で構成される。この電子ビューファインダ１６は、カメラボディ１１のコネクタ部１４に装着されると、システムコントローラ２１からコネクタ部１４およびボディコネクタ部５５を経てＥＶＦコントローラ５６にライブビュー画像や撮影画像等の画像信号が供給され、その画像が表示駆動部５７を経てＥＶＦ表示部５８に表示される。これにより、ユーザは、接眼レンズ光学系５９を介して、ＥＶＦ表示部５８に表示された画像を観察することができる。
【００３９】
ストロボ装置１７は、ボディコネクタ部６１、ストロボコントローラ６２、発光駆動部６３、および、発光部６４を有する。発光部６４は、光源として、例えばキセノン管が用いられる。このストロボ装置１７は、カメラボディ１１のコネクタ部１４に装着されると、撮影動作に連動して、システムコントローラ２１からコネクタ部１４およびボディコネクタ部６１を経てストロボコントローラ６２に発光信号が供給される。これにより、発光駆動部６３を介して発光部６４が発光して被写体が照明される。
【００４０】
以下、本実施の形態に係る撮像装置１０の概略動作を説明する。
【００４１】
図４は、本実施の形態に係る撮像装置１０の全体の概略動作を示すフローチャートである。先ず、システムコントローラ２１は、電源スイッチ１５ｂのオンを検出すると、システムの初期設定を行った後（Ｓ１０１）、動作モードを判定する（Ｓ１０３）。その結果、動作モードが撮影モードの場合は、現在装着されているアクセサリの検出処理を行って、その検出したアクセサリ情報を記憶部２４のアクセサリ情報格納領域２４ａに格納する（Ｓ１０５）。このアクセサリ検出処理の詳細については、後述する。
【００４２】
その後、システムコントローラ２１は、ヘルプボタン１９ｂの操作を監視する（Ｓ１０６）。その結果、ヘルプボタン１９ｂが操作されたのを検出すると、システムコントローラ２１は、撮影モードからヘルプモードに移行する。そして、記憶部２４のアクセサリ情報格納領域２４ａに格納されているアクセサリ情報と、特殊効果情報格納領域２４ｂに格納されている特殊効果情報とに基づいて、抽出部３５により推奨の特殊効果を抽出し、その抽出した推奨特殊効果を一覧として表示駆動部２７を経て表示部１８に表示する（Ｓ１０７）。この推奨特殊効果の抽出・一覧表示処理の詳細については、後述する。その後、システムコントローラ２１は、特殊効果の設定処理を実行する（Ｓ１０８）。
【００４３】
この特殊効果の設定処理においては、例えば、推奨特殊効果の一覧表示後の所定時間内に、表示中の特殊効果のなかから一の特殊効果が設定された場合は、その設定された特殊効果を、例えばシステムコントローラ２１の内部メモリに登録する。その後、システムコントローラ２１は、ヘルプモードから撮影モードに移行して、レリーズ操作の有無を監視する（Ｓ１１２）。これに対し、所定時間内に特殊効果が設定されなかった場合は、所定時間が経過した時点で推奨特殊効果の一覧表示を消去し、これによりヘルプモードから撮影モードに移行して、Ｓ１１２においてレリーズ操作の有無を監視する。
【００４４】
なお、Ｓ１０６においてヘルプボタン１９ｂが操作されていない場合、システムコントローラ２１は、撮影モードのまま、Ｓ１１２においてレリーズ操作の有無を監視する。また、システムコントローラ２１は、撮影モード中にヘルプボタン１９ｂが操作される毎、ヘルプモードに移行して、上記の処理を実行する。
【００４５】
システムコントローラ２１は、Ｓ１１２においてレリーズ操作の有無の監視を開始するまでに、適宜のタイミングで、現在のアクセサリの装着状態で得られるライブビュー画像を表示部１８に表示する。そして、Ｓ１１２においてレリーズ操作を検出すると、表示部１８へのライブビュー画像の表示を停止して（Ｓ１１３）、静止画像の撮影処理を実行する（Ｓ１１５）。この際、特殊効果の中でもフィルタ処理を伴わない特殊効果、例えば露光中フォーカス移動効果が設定されている場合は、その特殊効果に応じた撮影動作を実行する。このＳ１１５における静止画像撮影処理の詳細については、後述する。
【００４６】
その後、システムコントローラ２１は、Ｓ１０８においてフィルタ処理を伴う特殊効果が設定されているか否かを判定する（Ｓ１１７）。その結果、フィルタ処理を伴う特殊効果が設定されていると判定された場合は、画像処理部３３において当該特殊効果に応じて、フィルタ処理部３４による所要のフィルタ処理を実行する（Ｓ１１９）。そして、特殊効果が付加された画像データを、カードメモリ部２３の記録媒体または記憶部２４に画像ファイルとして記録する（Ｓ１２１）。これに対し、Ｓ１１７において、フィルタ処理を伴う特殊効果が設定されていないと判定された場合は、画像処理部３３において通常の画像処理を実行して、Ｓ１２１において取得された画像データを画像ファイルとして記録する。
【００４７】
システムコントローラ２１は、Ｓ１２１において撮影画像の画像ファイルを格納すると、その撮影画像をユーザに確認させるために表示部１８に一時的に表示し（Ｓ１２３）、その後、表示部１８へのライブビュー画像の表示を再開して（Ｓ１２５）、Ｓ１０３に移行する。
【００４８】
一方、Ｓ１１２において、レリーズ操作が検出されない場合、システムコントローラ２１は、電源スイッチ１５ｂのオフ操作の有無を監視する（Ｓ１２７）。その結果、オフ操作がされていない場合は、Ｓ１０３に移行して上記の動作を繰り返し、オフ操作がされている場合は、システムの停止設定を行って（Ｓ１２９）、動作を終了する。
【００４９】
なお、Ｓ１０３において、動作モードが再生モードの場合、システムコントローラ２１は、カードメモリ部２３に装着されている記録媒体に格納されている画像ファイル、あるいは、記憶部２４に格納されている画像ファイルの再生動作を実行して（Ｓ１３１）、Ｓ１２７に移行する。
【００５０】
図５は、図４に示したＳ１０５におけるアクセサリ検出処理の一例を示すフローチャートである。
【００５１】
アクセサリ検出処理では、先ず、撮影レンズ１２との通信を試みて、撮影レンズ１２が装着されているか否かをチェックする（Ｓ２０１）。その結果、撮影レンズ１２が装着されていれば、撮影レンズ１２のレンズ情報メモリ４２に格納されているレンズ情報を取得して、その取得したレンズ情報を記憶部２４のアクセサリ情報格納領域２４ａに格納する（Ｓ２０３）。これに対し、撮影レンズ１２が装着されていなければ、アクセサリ情報格納領域２４ａに格納されているアクセサリ情報からレンズ情報をクリアする（Ｓ２０５）。
【００５２】
次に、システムコントローラ２１は、電子ビューファインダ１６との通信を試みて、電子ビューファインダ１６が装着されているか否かをチェックする（Ｓ２０７）。その結果、電子ビューファインダ１６が装着されていれば、その装着を示す情報を取得して記憶部２４のアクセサリ情報格納領域２４ａに格納し（Ｓ２０９）、装着されていなければ、アクセサリ情報格納領域２４ａに格納されているアクセサリ情報から、電子ビューファインダ１６に関する情報をクリアする（Ｓ２１１）。
【００５３】
その後、システムコントローラ２１は、ストロボ装置１７との通信を試みて、ストロボ装置１７が装着されているか否かをチェックする（Ｓ２１３）。その結果、ストロボ装置１７が装着されていれば、その装着を示す情報を取得して記憶部２４のアクセサリ情報格納領域２４ａに格納し（Ｓ２１５）、装着されていなければ、アクセサリ情報格納領域２４ａに格納されているアクセサリ情報から、ストロボ装置１７に関する情報をクリアする（Ｓ２１７）。
【００５４】
次に、システムコントローラ２１は、三脚検出部２５の出力に基づいて、三脚３７が装着されているか否かをチェックする（Ｓ２１９）。その結果、三脚３７が装着されていれば、その装着を示す情報を記憶部２４のアクセサリ情報格納領域２４ａに格納し（Ｓ２２１）、装着されていなければ、アクセサリ情報格納領域２４ａに格納されているアクセサリ情報から、三脚３７に関する情報をクリアする（Ｓ２２３）。
【００５５】
その後、システムコントローラ２１は、撮影レンズ１２を介して光学フィルタ１３との通信を試みて、光学フィルタ１３が装着されているか否かをチェックする（Ｓ２２５）。その結果、光学フィルタ１３が装着されていれば、光学フィルタ１３のフィルタ情報メモリ５２に格納されている光学フィルタ情報を取得して、その取得した光学フィルタ情報を記憶部２４のアクセサリ情報格納領域２４ａに格納する（Ｓ２２７）。これに対し、光学フィルタ１３が装着されていなければ、アクセサリ情報格納領域２４ａに格納されているアクセサリ情報から光学フィルタ情報をクリアする（Ｓ２２９）。
【００５６】
なお、図５に示したアクセサリのチェック動作は、任意の順番で実行することができる。また、撮影レンズ１２のチェックと光学フィルタ１３のチェックとは、同時に実行することも可能である。同様に、コネクタ部１４に交換可能に装着される電子ビューファインダ１６およびストロボ装置１７についても、コネクタ部１４に現在装着されているアクセサリを検出することにより、同時にチェックすることができる。
【００５７】
図６は、図４に示したＳ１０７における推奨特殊効果の抽出・一覧表示処理の一例を示すフローチャートである。
【００５８】
システムコントローラ２１は、記憶部２４のアクセサリ情報格納領域２４ａおよび特殊効果情報格納領域２４ｂから、それぞれアクセサリ情報および特殊効果情報を読み出す（Ｓ３０１）。そして、これらの情報に基づいて、現在の撮像装置１０における推奨の特殊効果を抽出し、その一覧を表示部１８に表示する。
【００５９】
そのため、システムコントローラ２１は、先ず、Ｓ３０１で読み出したアクセサリ情報から撮影レンズ１２の装着をチェックする（Ｓ３０３）。そして、撮影レンズ１２が装着されていれば、実行可能な全ての特殊効果のフラグをそれぞれ初期化する（Ｓ３０５）。ここでは、図３に示した、ａ（シェーディング付加効果）、ｂ（魚眼レンズ効果）、ｃ（ティルトレンズ撮影効果）、ｄ（露光中フォーカス移動効果）、ｅ（ダイナミックレンジ拡大効果）の全ての特殊効果のフラグを「１」に初期化するものとする。
【００６０】
次に、システムコントローラ２１は、レンズ情報から、当該撮影レンズは、レンズ周辺の減光量が、中心部に比べて所定値（例えば、５０％）以下であるかをチェックする（Ｓ３０７）。その結果、所定値以下のものでなければ（Noの場合）、つまり減光量が所定値を超えるシェーディングレンズが装着されていれば、ａ（シェーディング付加効果）のフラグを「０」に書き換え（Ｓ３０９）、それ以外はフラグの変更を行わない。
【００６１】
次に、システムコントローラ２１は、レンズ情報から、当該撮影レンズの焦点距離は所定値（例えば、９ｍｍ）以上かをチェックする（Ｓ３１１）。その結果、所定値以上のものでなければ（Noの場合）、つまり魚眼レンズが装着されていれば、ｂ（魚眼レンズ効果）のフラグを「０」に書き換え（Ｓ３１３）、それ以外はフラグの変更を行わない。
【００６２】
次に、システムコントローラ２１は、レンズ情報から、当該撮影レンズはティルトレンズでないかをチェックする（Ｓ３１５）。その結果、ティルトレンズであれば（Noの場合）、ｃ（ティルトレンズ撮影効果）のフラグを「０」に書き換え（Ｓ３１７）、それ以外はフラグの変更を行わない。
【００６３】
次に、システムコントローラ２１は、レンズ情報から、当該撮影レンズはＡＦ対応レンズであるかをチェックする（Ｓ３１９）。その結果、ＡＦ対応レンズでなければ（Noの場合）、ｄ（露光中フォーカス移動効果）のフラグを「０」に書き換え（Ｓ３２１）、それ以外はフラグの変更を行わない。
【００６４】
その後、システムコントローラ２１は、読み出したアクセサリ情報から、三脚３７の装着をチェックする（Ｓ３２３）。その結果、三脚３７が装着されていなければ（Noの場合）、ｄ（露光中フォーカス移動効果）およびｅ（ダイナミックレンジ拡大効果）のフラグをそれぞれ「０」に書き換え（Ｓ３２５）、それ以外はフラグの変更を行わない。
【００６５】
以上のようにして、装着されている撮影レンズ１２のレンズ情報と三脚３７の装着状態とをチェックしたら、特殊効果のフラグの状態に基づいて推奨される特殊効果を抽出し、その抽出結果に応じて特殊効果一覧を表示する（Ｓ３２７）。
【００６６】
例えば、特殊効果のフラグが、ａ＝０，ｂ＝１，ｃ＝１，ｄ＝０，ｅ＝１、の場合、つまり、ＡＦ対応でないシェーディングレンズが装着されている場合、システムコントローラ２１は、フラグが「１」である、ｂ（魚眼レンズ効果）、ｃ（ティルトレンズ撮影効果）、ｅ（ダイナミックレンジ拡大効果）、を推奨特殊効果として抽出する。そして、抽出した推奨特殊効果の一覧を、図７（ａ）に示すように表示部１８上に表示する。
【００６７】
また、特殊効果のフラグが、ａ＝０，ｂ＝１，ｃ＝１，ｄ＝１，ｅ＝１、の場合、つまり、シェーディングレンズが装着されている場合、システムコントローラ２１は、フラグが「１」である、ｂ（魚眼レンズ効果）、ｃ（ティルトレンズ撮影効果）、ｄ（露光中フォーカス移動効果）、ｅ（ダイナミックレンジ拡大効果）、を推奨特殊効果として抽出する。そして、抽出した推奨特殊効果の一覧を、図７（ｂ）に示すように表示部１８上に表示する。
【００６８】
同様に、特殊効果のフラグが、ａ＝１，ｂ＝０，ｃ＝１，ｄ＝０，ｅ＝１、の場合、つまり、ＡＦ対応でない魚眼レンズが装着されている場合、システムコントローラ２１は、フラグが「１」である、ａ（シェーディング付加効果）、ｃ（ティルトレンズ撮影効果）、ｅ（ダイナミックレンジ拡大効果）、を推奨特殊効果として抽出する。そして、抽出した推奨特殊効果の一覧を、図８（ａ）に示すように表示部１８上に表示する。
【００６９】
また、特殊効果のフラグが、ａ＝１，ｂ＝０，ｃ＝１，ｄ＝１，ｅ＝１、の場合、つまり、ＡＦ対応の魚眼レンズが装着されている場合、システムコントローラ２１は、フラグが「１」である、ａ（シェーディング付加効果）、ｃ（ティルトレンズ撮影効果）、ｄ（露光中フォーカス移動効果）、ｅ（ダイナミックレンジ拡大効果）、を推奨特殊効果として抽出する。そして、抽出した推奨特殊効果の一覧を、図８（ｂ）に示すように表示部１８上に表示する。
【００７０】
同様に、特殊効果のフラグが、ａ＝１，ｂ＝１，ｃ＝０，ｄ＝０，ｅ＝１、の場合、つまり、ＡＦ対応でないティルトレンズが装着されている場合、システムコントローラ２１は、フラグが「１」である、ａ（シェーディング付加効果）、ｂ（魚眼レンズ効果）、ｅ（ダイナミックレンジ拡大効果）、を推奨特殊効果として抽出する。そして、抽出した推奨特殊効果の一覧を、図９（ａ）に示すように表示部１８上に表示する。
【００７１】
また、特殊効果のフラグが、ａ＝１，ｂ＝１，ｃ＝０，ｄ＝１，ｅ＝１、の場合、つまり、ＡＦ対応のティルトレンズが装着されている場合、システムコントローラ２１は、フラグが「１」である、ａ（シェーディング付加効果）、ｂ（魚眼レンズ効果）、ｄ（露光中フォーカス移動効果）、ｅ（ダイナミックレンジ拡大効果）、を推奨特殊効果として抽出する。そして、抽出した推奨特殊効果の一覧を、図９（ｂ）に示すように表示部１８上に表示する。
【００７２】
同様に、特殊効果のフラグが、ａ＝１，ｂ＝１，ｃ＝１，ｄ＝０，ｅ＝０、の場合、つまり、マニュアルフォーカスレンズが装着されて、三脚３７が未装着の場合、システムコントローラ２１は、フラグが「１」である、ａ（シェーディング付加効果）、ｂ（魚眼レンズ効果）、ｃ（ティルトレンズ撮影効果）、を推奨特殊効果として抽出する。そして、抽出した推奨特殊効果の一覧を、図１０（ａ）に示すように表示部１８上に表示する。
【００７３】
また、特殊効果のフラグが、ａ＝１，ｂ＝１，ｃ＝１，ｄ＝０，ｅ＝１、の場合、つまり、マニュアルフォーカスレンズおよび三脚３７が装着されている場合、システムコントローラ２１は、フラグが「１」である、ａ（シェーディング付加効果）、ｂ（魚眼レンズ効果）、ｃ（ティルトレンズ撮影効果）、ｅ（ダイナミックレンジ拡大効果）、を推奨特殊効果として抽出する。そして、抽出した推奨特殊効果の一覧を、図１０（ｂ）に示すように表示部１８上に表示する。
【００７４】
また、特殊効果のフラグが、ａ＝１，ｂ＝１，ｃ＝１，ｄ＝１，ｅ＝１、の場合、つまり、シェーディングレンズ、魚眼レンズ、ティルトレンズ以外のＡＦ対応レンズが装着され、かつ三脚３７が装着されている場合、システムコントローラ２１は、ａ（シェーディング付加効果）、ｂ（魚眼レンズ効果）、ｃ（ティルトレンズ撮影効果）、ｄ（露光中フォーカス移動効果）、ｅ（ダイナミックレンジ拡大効果）、を推奨特殊効果として抽出する。したがって、この場合、実行可能な全ての特殊効果が推奨特殊効果として抽出されるので、その一覧を図１０（ｃ）に示すように表示部１８上に表示する。
【００７５】
一方、図６のＳ３０３において、撮影レンズ１２が装着されていない場合、システムコントローラ２１は、表示部１８に実行可能な特殊効果が無い旨を表示して（Ｓ３２９）、当該推奨特殊効果の抽出・一覧表示処理を終了する。
【００７６】
なお、図６において、レンズ情報のチェック順序は、適宜変更可能である。また、推奨特殊効果は、特殊効果の種別によっては、さらに光学フィルタ１３のフィルタ情報を付加して抽出することもできる。
【００７７】
図１１は、図４に示したＳ１１５における静止画像撮影処理の一例を示すフローチャートである。
【００７８】
静止画像撮影処理では、先ず、システムコントローラ２１は、Ｓ１０８において特殊効果として、露光中フォーカス移動効果が設定されているかをチェックする（Ｓ４０１）。その結果、露光中フォーカス移動効果が設定されていれば、当該特殊効果に設定されている撮影レンズ１２の駆動時間、すなわちレンズ光学系４１の駆動時間に合わせて露光時間を設定する（Ｓ４０３）。また、撮影レンズ１２のレンズコントローラ４４に対しては、レンズ光学系４１の駆動時間を送信する（Ｓ４０５）。
【００７９】
そして、システムコントローラ２１は、撮像部２２の露光を開始し（Ｓ４０７）、それと同期して、撮影レンズ１２のレンズコントローラ４４に対してレンズ光学系４１の駆動開始信号を送信して（Ｓ４０９）、レンズ光学系４１を移動させる。その後、システムコントローラ２１は、Ｓ４０３で設定された露光時間が終了すると（Ｓ４１１）、撮影部２２の露光を停止し（Ｓ４１３）、それと同期して、撮影レンズ１２のレンズコントローラ４４に対してレンズ光学系４１の駆動停止信号を送信する（Ｓ４１５）。その後、システムコントローラ２１は、撮像部２２から画像データを読み出す（Ｓ４１７）。
【００８０】
以後は、図４で説明したように、当該読み出した画像データに対して所要の画像処理を実行して、カードメモリ部２３の記録媒体または記憶部２４に画像ファイルとして記録する。なお、Ｓ４０１において、露光中フォーカス移動効果が設定されていなければ、システムコントローラ２１は、通常の静止画像撮影動作を実行して（Ｓ４１９）、同様に、カードメモリ部２３の記録媒体または記憶部２４に画像ファイルとして記録する。
【００８１】
以上説明した第１実施の形態に係る撮像装置１０によると、ユーザは、ヘルプボタン１９ｂを操作することで、現在装着下のアクセサリで推奨される特殊効果の一覧が表示部１８に表示されるので、実際に撮影して特殊効果が付加された画像を確認することなく、効果が顕著に現れる推奨の特殊効果を容易かつ確実に選択して設定することが可能となる。
【００８２】
（第２実施の形態）
図１２は、本発明の第２実施の形態に係る撮像装置の内部の概略構成を示す機能ブロック図である。この撮像装置７０は、図２に示した構成において、システムコントローラ２１に接続された通信インタフェース（Ｉ／Ｆ）２８をさらに備える。通信Ｉ／Ｆ２８は、パーソナルコンピュータやネットワークに接続可能で、システムコントローラ２１の制御のもとに、接続先のパーソナルコンピュータや、ネットワーク上のサーバから特殊効果情報の更新情報を取得する。これにより、記憶部２４の特殊効果情報格納領域に記憶されている特殊効果情報を更新する。その他の構成および動作は、第１実施の形態と同様である。
【００８３】
このように構成すれば、次々と発売される種々のアクセサリに対応する特殊効果情報を容易に取得することができるので、新規のアクセサリを使用して、当該アクセサリに適した特殊効果を容易かつ確実に設定することが可能となる。
【００８４】
なお、本発明は、上記実施の形態に限定されるものではなく、幾多の変形または変更が可能である。例えば、表示部１８に表示する推奨特殊効果の一覧は、特殊効果名に限らず、図１３に示すように、それぞれの特殊効果を付加した画像を画面分割して表示することもできる。この場合、各特殊効果の画像は、予めサンプル画像を記憶部２４に格納して読み出して表示することもできるし、実際に被写体を撮影して、それぞれの特殊効果を付加して表示することもできる。また、第２実施の形態にように、通信Ｉ／Ｆ２８を有する場合は、例えば通信Ｉ／Ｆ２８を介してパーソナルコンピュータやサーバ等の外部処理装置と接続して、特殊効果の全部または一部を外部処理装置で実行させて、外部処理装置から特殊効果が付加された画像ファイルを取得するように構成することもできる。さらに、第２実施の形態における特殊効果情報の更新は、例えば、カードメモリ部２３に装着可能な記録媒体を介して実行するように構成することもできる。
【００８５】
さらに、特殊効果は、アクセサリとの組み合わせの他、撮影シーンとの組み合わせや、撮影場所、撮影時間、季節等の撮影環境において、より顕著に現れる。例えば、ティルトレンズ撮影効果の特殊効果は、特に風景に適しており、シェーディング付加効果の特殊効果は、特にポートレートや風景の撮影に適しており、デイドリームによる特殊効果は、特に昼間の撮影に適している。したがって、推奨される特殊効果ととともに、各特殊効果に適した撮影シーンを関連させて表示することも可能である。また、ユーザによる撮影シーンの設定や画像データからの被写体認識により撮影シーン情報を取得したり、ＧＰＳ（Global Positioning System）を利用して撮影場所情報を取得したり、日付情報から撮影時間、季節等を取得したりして、アクセサリおよび撮影シーンの組み合わせにおいて、推奨の特殊効果を抽出して表示することも可能である。
【符号の説明】
【００８６】
１０  撮像装置
１１  カメラボディ
１２  撮影レンズ
１６  電子ビューファインダ
１７  ストロボ装置
１８  表示部
１９ｂ  ヘルプボタン
２０  操作部
２１  システムコントローラ
２２  撮像部
２４  記憶部
２４ａ  アクセサリ情報格納領域
２４ｂ  特殊効果情報格納領域
２５  三脚検出部
２７  表示駆動部
２８  通信インタフェース
３３  画像処理部
３４  フィルタ処理部
３５  抽出部
３７  三脚
４２  レンズ情報メモリ
７０  撮像装置
【図１】
2011239346.tif 000003
【図２】
2011239346.tif 000004
【図３】
2011239346.tif 000005
【図４】
2011239346.tif 000006
【図５】
2011239346.tif 000007
【図６】
2011239346.tif 000008
【図７】
2011239346.tif 000009
【図８】
2011239346.tif 000010
【図９】
2011239346.tif 000011
【図１０】
2011239346.tif 000012
【図１１】
2011239346.tif 000013
【図１２】
2011239346.tif 000014
【図１３】
2011239346.tif 000015